(57)【要約】第一の記録媒体に記録されている画像データ及び／又は音データを読み込む読込部と、前記読み込まれた画像データ及び／又は音データを第二の記録媒体に記録する書込部と、を備えたデータ記録装置において、前記第二の記録媒体に識別情報が記録されているか否かを判別する識別情報判別部を備え、前記識別情報判別部により識別情報が記録されていると判別された場合にのみ、前記書込部は、前記読み込まれた画像データ及び／又は音データを前記第二の記録媒体に記録することを特徴とするデータ記録装置を提供するものである。
2005006334.tif 000002
【特許請求の範囲】
【請求項１】
第一の記録媒体に記録されている画像データ及び／又は音データを読み込む読込部と、前記読み込まれた画像データ及び／又は音データを第二の記録媒体に記録する書込部と、を備えたデータ記録装置において、前記第二の記録媒体に識別情報が記録されているか否かを判別する識別情報判別部を備え、前記識別情報判別部により識別情報が記録されていると判別された場合にのみ、前記書込部は、前記読み込まれた画像データ及び／又は音データを前記第二の記録媒体に記録することを特徴とするデータ記録装置。
【請求項２】
前記識別情報は、料金支払済情報、書き込み可能なデータ容量又は書き込み可能なファイル数であることを特徴とする請求の範囲第１項に記載のデータ記録装置。
【請求項３】
コンピュータに、第一の記録媒体に記録されている画像データ及び／又は音データを読み込む読込機能と、第二の記録媒体に識別情報が記録されているか否かを判別する識別情報判別機能と、前記第二の記録媒体に識別情報が記録されていると判別された場合にのみ、前記読み込まれた画像データ及び／又は音データを前記第二の記録媒体に記録する書込機能と、を実現させるためのプログラム。
【請求項４】
前記識別情報は、料金支払済情報、書き込み可能なデータ容量又は書き込み可能なファイル数であることを特徴とする請求の範囲第３項に記載のプログラム。
【発明の詳細な説明】
【技術分野】  本発明は、画像データ及び／又は音データを記録媒体に記録するデータ記録装置及びプログラムに関する。
【背景技術】  近年、デジタルカメラの普及により、写真店やコンビニエンス・ストア等の店舗で、デジタルカメラで撮影した画像データをメモリカード等から読み込み、その画像データをＣＤ−Ｒ（Ｃｏｍｐａｃｔ  Ｄｉｓｃ−Ｒｅｃｏｒｄａｂｌｅ）等の他の記録媒体に書き込むデータ記録装置を用いて、メディア変換を行うメディア変換サービスが行われている。
また、画像データが記憶されたメディアから画像データを読み出し、読み出された画像データに基づいて、画像のプリント注文に関する情報を作成し、これらの情報を画像形成装置に転送して画像をプリントさせる技術が開示されている（例えば、特許文献１参照。）。  また、ＰＣ（Ｐｅｒｓｏｎａｌ  Ｃｏｍｐｕｔｅｒ：パーソナルコンピュータ）等に特定の機能を実現させるためのプログラムを、画像データを書き込むＣＤ−Ｒ等の記録媒体に記録するデータ記録装置が提案されている。特定の機能として、例えば、画像データの編集・加工機能や、サウンドファイルを用いてＢＧＭ付きで画像ファイルをスライドショーとして再生する機能等がある。
【特許文献１】特開２００１−０９４９１０号公報
しかし、このようなメディア変換サービスを行う場合、記録媒体としては、極力同じ構成の記録領域を使用することが円滑な記録動作上好ましい。
本発明は、予め定められた記録媒体にのみ画像データ及び／又は音データを記録することが可能なデータ記録装置及びプログラムを提供することを課題とする。
【発明の開示】
上記の課題を解決するため本発明は、第一の記録媒体に記録されている画像データ及び／又は音データを読み込む読込部と、前記読み込まれた画像データ及び／又は音データを第二の記録媒体に記録する書込部と、を備えたデータ記録装置において、前記第二の記録媒体に識別情報が記録されているか否かを判別する識別情報判別部を備え、前記識別情報判別部により識別情報が記録されていると判別された場合にのみ、前記書込部は、前記読み込まれた画像データ及び／又は音データを前記第二の記録媒体に記録することを特徴とするデータ記録装置を提供するものである。
また、本発明は、コンピュータに、第一の記録媒体に記録されている画像データ及び／又は音データを読み込む読込機能と、第二の記録媒体に識別情報が記録されているか否かを判別する識別情報判別機能と、前記第二の記録媒体に識別情報が記録されていると判別された場合にのみ、前記読み込まれた画像データ及び／又は音データを前記第二の記録媒体に記録する書込機能と、を実現させるためのプログラムを提供するものである。
ここで、画像データとは、静止画の画像データや動画の画像データをいう。また、音データとは、音声データや音楽データ等をいう。
これらの発明によれば、第二の記録媒体に識別情報が記録されている場合にのみ、読み込まれた画像データ及び／又は音データを第二の記録媒体に記録するので、識別情報が記録されている第二の記録媒体以外の記録媒体に、読み込まれた画像データ及び／又は音データを記録することを防ぐことができる。したがって、同じ構成の記録領域を使用することができ、円滑に記録動作を行うことが可能となる。
さらにこれらの発明において、前記識別情報は、料金支払済情報、書き込み可能なデータ容量又は書き込み可能なファイル数であることとしてもよい。
そしてこうすることにより、第二の記録媒体に料金支払済情報、書き込み可能なデータ容量又は書き込み可能なファイル数が記録されている場合にのみ、読み込まれた画像データ及び／又は音データを第二の記録媒体に記録するので、料金支払済情報、書き込み可能なデータ容量又は書き込み可能なファイル数が記録されている第二の記録媒体以外の記録媒体に、読み込まれた画像データ及び／又は音データを記録することを防ぐことができる。
ここで、記録媒体とは、ＣＤ−Ｒ、ＣＤ−Ｒ／Ｗ、ＤＶＤ−Ｒ、ＤＶＤ−Ｒ／Ｗ、ＤＶＤ＋Ｒ／Ｗ、ＤＶＤ−ＲＡＭ、ブルーレイディスク、ＭＯディスク、ＰＣカード、ＳＤカード、メモリースティック、スマートメディア、コンパクトフラッシュ（登録商標）、ｘＤ−ｐｉｃｔｕｒｅカード等をいう。
【図面の簡単な説明】  第１図は、本発明の実施の形態におけるデータ記録装置１の機能的構成を示すブロック図である。
第２図は、データ記録装置１により実行される画像データ記録処理を示すフローチャートである。
第３（ａ）図および第３（ｂ）図は、データ記録装置１専用のＣＤ−Ｒにおいて、料金支払済情報、ＡＶ機器再生用ファイル及びＰＣ再生用ファイルが記録される領域を示す図である。
【発明を実施するための最良の形態】  以下、図を参照して本発明の実施の形態を詳細に説明する。
第１図に、データ記録装置１の機能的構成を示す。データ記録装置１は、利用者により持ち込まれたメモリカードに記録されている画像データを、ＣＤ−Ｒに記録する。データ記録装置１は、写真店やコンビニエンス・ストア等の店舗に設置されている。
第１図に示すように、データ記録装置１は、ＣＰＵ（Ｃｅｎｔｒａｌ  Ｐｒｏｃｅｓｓｉｎｇ  Ｕｎｉｔ）２と、ＲＯＭ（Ｒｅａｄ  Ｏｎｌｙ  Ｍｅｍｏｒｙ）３と、ＲＡＭ（Ｒａｎｄｏｍ  Ａｃｃｅｓｓ  Ｍｅｍｏｒｙ）４と、記憶部５と、操作部６と、表示部７と、メモリスロット８と、ＣＤ−Ｒドライブ９と、料金支払済情報判別部１０と、を備えて構成され、各部はバス１１により接続されている。
ＣＰＵ２は、操作部６から入力される各種指示に従って、ＲＯＭ３に記録されている各種プログラムの中から指定されたプログラムをＲＡＭ４のワークエリアに展開し、上記プログラムとの協働によって各種処理を実行し、その処理結果をＲＡＭ４の所定の領域に格納する。
ＲＯＭ３は、不揮発性の半導体メモリで構成される。ＲＯＭ３は、ＣＰＵ２により実行されるデータ記録装置１の各種プログラムやデータ等を記憶している。
ＲＡＭ４は、書き換え可能な半導体素子で構成される。ＲＡＭ４は、データが一時的に保存される記憶媒体であり、ＣＰＵ２が実行するためのプログラムを展開するためのプログラムエリア、操作部６から入力されるデータやＣＰＵ２による各種処理結果等を保存するためのデータエリア、等が形成される。
記憶部５は、ＨＤＤ（Ｈａｒｄ  Ｄｉｓｋ  Ｄｒｉｖｅ）を備えて構成され、メモリスロット８から読み込まれた画像データを記憶する。また、記憶部５は、ＰＣやゲーム機、ＤＶＤ（Ｄｉｇｉｔａｌ  Ｖｅｒｓａｔｉｌｅ  Ｄｉｓｋ）プレーヤーに、画像データを再生させるための画像再生プログラムを記憶している。画像再生プログラムには、静止画の画像データを表示したり、動画の画像データを再生したり、これらの画像データを連続して順次表示し、スライドショーとして再生したりする機能が含まれる。記憶部５は、ＣＰＵ２から画像データの記憶指示がなされると、ＨＤＤ内の空き容量を判定し、空き領域内に指示された画像データを記憶する。また、ＣＰＵ２からプログラムやデータの読み出し指示がなされると、その指示されたデータをＨＤＤから読み出してＣＰＵ２へ出力する。
操作部６は、数字キーや各種機能キーを備える。そして、これらのキーが押下された場合には、その押下信号をＣＰＵ２へ出力する。なお、この操作部６は、表示部７と一体となったタッチパネルにより構成されることとしてもよい。
表示部７は、ＬＣＤ（Ｌｉｑｕｉｄ  Ｃｒｙｓｔａｌ  Ｄｉｓｐｌａｙ）等で構成され、ＣＰＵ２からの表示信号に従って、画面表示を行う。
メモリスロット８には、メモリカードが差し込み可能になっている。メモリカードには、例えば、デジタルカメラで撮像した複数の静止画の画像データやデジタルビデオカメラで撮像した複数の動画の画像データが記憶されている。メモリスロット８は、ＣＰＵ２の制御に従って、メモリカードに記録された画像データを読み込み、ＣＰＵ２に出力する。
ＣＤ−Ｒドライブ９は、ＣＤ−Ｒが差し込み可能になっている。ＣＤ−Ｒドライブ９は、ＣＰＵ２の制御に従って、記憶部５に記憶された画像データ及び画像再生プログラムをＣＤ−Ｒに書き込む。また、ＣＤ−Ｒドライブ９は、ＣＰＵ２の制御に従って、ＣＤ−Ｒから料金支払済情報を読み込む。料金支払済情報とは、利用者がデータ記録装置１のサービスに対して料金を支払済みであることを示す情報をいう。
料金支払済情報判別部１０は、ＣＤ−Ｒドライブ９に、ＣＤ−Ｒに記録されている情報を読み込ませ、読み込まれたＣＤ−Ｒの情報に基づいて、ＣＤ−Ｒに料金支払済情報が記録されているか否かを判別する。例えば、ＣＤ−Ｒの所定のフォルダ又はファイルを検索し、該当するフォルダ又はファイルが存在するか否かで判別する。この料金支払済情報判別部１０は、ＲＯＭ３に格納された料金支払済情報判別プログラムとＣＰＵ２との協働によってソフトウェア処理で実現される。
データ記録装置１において使用されるＣＤ−Ｒのメーカーは、データ記録装置１が設置されている写真店やコンビニエンス・ストア等の店舗に、料金支払済情報が記録されているデータ記録装置１専用のＣＤ−Ｒを準備しておく。利用者は、このデータ記録装置１専用のＣＤ−Ｒを購入し、データ記録装置１のサービスを利用することになる。
以下に、本実施の形態におけるデータ記録装置１の動作を説明する。
なお、動作説明の前提として、以下のフローチャートに記述されている処理を実現するためのプログラムは、データ記録装置１のＣＰＵ２が読み取り可能なプログラムコードの形態でＲＯＭ３に格納されており、ＣＰＵ２は、当該プログラムコードに従った動作を逐次実行する。
第２図は、データ記録装置１により実行される画像データ記録処理を示すフローチャートである。まず、利用者により持ち込まれたメモリカードがメモリスロット８に挿入される（ステップＳ１）。次に、画像データが書き込まれるＣＤ−ＲがＣＤ−Ｒドライブ９に挿入される（ステップＳ２）。
そして、料金支払済情報判別部１０により、ＣＤ−Ｒドライブ９に挿入されたＣＤ−Ｒに料金支払済情報が記録されているか否かが判別される（ステップＳ３）。料金支払済情報は、第３（ａ）図に示すように、料金支払済情報判別プログラムのみが認識可能なディスクの最も外側の領域１２に記録されている。
ＣＤ−Ｒに料金支払済情報が記録されていない場合には（ステップＳ３；ＮＯ）、表示部７に、データ記録装置１専用のＣＤ−Ｒを入れることを指示するメッセージが表示される。
ＣＤ−Ｒに料金支払済情報が記録されている場合には（ステップＳ３；ＹＥＳ）、ＣＤ−Ｒに画像データが記録されているか否かが判別される（ステップＳ４）。ＣＤ−Ｒに既に画像データが記録されている場合には（ステップＳ４；ＹＥＳ）、表示部７に、画像データが記録されていない未使用のＣＤ−Ｒを入れることを指示するメッセージが表示される。
ＣＤ−Ｒに画像データが記録されていない場合には（ステップＳ４；ＮＯ）、メモリカードに記録された画像データが読み込まれ、読み込まれた画像データは記憶部５に記憶される。そして、記憶部５に記憶された画像データは、ゲーム機やＤＶＤプレーヤー等のＡＶ機器再生用のファイル形式でＣＤ−Ｒに記録され（ステップＳ５）、続いて、ＰＣ再生用のファイル形式でＣＤ−Ｒに記録される（ステップＳ６）。ＡＶ機器等の家庭用電化製品は、搭載されているメモリの容量が少ないので、ＣＤ−Ｒ等のディスクの内側から順に読み出すよう設定されている場合が多い。そのため、第３（ｂ）図に示すように、ＡＶ機器再生用ファイルは、ディスクの最も内側の領域１３に記録され、ＰＣ再生用ファイルはその外側の領域１４に記録される。
次に、記憶部５に記憶されている画像再生プログラムがＣＤ−Ｒに記録される（ステップＳ７）。そして、ＣＤ−Ｒとメモリカードが取り出される（ステップＳ８）。以上で、画像データ記録処理が終了する。
したがって、本実施の形態のデータ記録装置１によれば、ＣＤ−Ｒに料金支払済情報が記録されている場合にのみ、読み込まれた画像データをＣＤ−Ｒに記録するので、料金支払済情報が記録されているＣＤ−Ｒ以外の記録媒体に、読み込まれた画像データを記録することを防ぐことができる。したがって、同じ構成の記録領域を使用することができ、円滑に記録動作を行うことが可能となる。
なお、本実施の形態においては、ＣＤ−Ｒの最も外側の領域１２に料金支払済情報が記録されていることとしたが、読み込まれた画像データのファイルが書き込まれる領域１３，１４及び画像再生プログラムが書き込まれる領域を除く領域であれば、どこの領域に記録されていてもかまわない。
また、本実施の形態においては、ＣＤ−Ｒの識別情報として、料金支払済情報が記録されている場合について説明したが、これに限定されず、書き込み可能なデータ容量、書き込み可能なファイル数、ＣＤ−Ｒのメーカー名等、データ記録装置１専用のＣＤ−Ｒであることを示す識別情報が記録されていればよい。
また、本実施の形態においては、ＣＤ−Ｒに記録されるデータとして、画像データの場合を説明したが、音声データ、音楽データ等の音データが含まれることとしてもよい。
また、ＣＤ−Ｒに記録されるプログラムは、画像再生プログラムに限定されず、ＰＣやゲーム機、ＤＶＤプレーヤー等に特定の機能を実現させるための他のプログラムであってもよい。例えば、画像データに色・濃度・彩度補正、画像回転、トリミング等の加工を施す画像加工プログラム、静止画・動画・音声データ等を組み合わせ、それぞれ時間を指定して順次再生する電子アルバムを作成するための注文情報を生成する注文情報生成プログラム、等が挙げられる。
また、データ記録装置１において、ＰＣやゲーム機、ＤＶＤプレーヤー等に特定の機能を実現させるためのプログラムがＣＤ−Ｒに記録されず、単に、メモリカード等からＣＤ−Ｒ等への画像データのメディア変換のみを行うこととしてもよい。
また、上記画像再生プログラムは、予めＣＤ−Ｒに記録されていることとしてもよい。この場合、画像再生プログラムが予めＣＤ−Ｒに記録されているので、画像再生プログラムをＣＤ−Ｒに記録する時間が必要なく、ＣＤ−Ｒへの記録時間を短縮することができる。また、この場合、ＣＤ−Ｒに料金支払済情報が記録されているか否かの判別に替えて、画像再生プログラムが記録されているか否かを判別することによって、データ記録装置１専用のＣＤ−Ｒであることを識別することとしてもよい。
また、本実施の形態においては、データ記録装置１により読み込まれる画像データがメモリカードに記録されていることとしたが、画像データは、フロッピー（登録商標）ディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ等の各種デジタル記録媒体に記録されていることとしてもよい。また、アナログカメラで撮影したネガフィルム、リバーサルフィルム等の各種アナログ録媒体に記録されている画像をスキャナにより読み取った画像データでもよい。また、複数の記録媒体から画像データを読み込むこととしてもよい。
また、本実施の形態においては、データ記録装置１が画像データをＣＤ−Ｒに記録することとしたが、本発明はこれに限定されるものではなく、光ディスクやＤＶＤ等であってもよい。
また、上記実施の形態における記述は、本発明に係る好適なデータ記録装置の例であり、これに限定されるものではない。データ記録装置１を構成する各部の細部構成及び細部動作に関しても本発明の趣旨を逸脱することのない範囲で適宜変更可能である。
【産業上の利用可能性】  本発明によれば、第二の記録媒体に識別情報が記録されている場合にのみ、読み込まれた画像データ及び／又は音データを第二の記録媒体に記録するので、識別情報が記録されている第二の記録媒体以外の記録媒体に、読み込まれた画像データ及び／又は音データを記録することを防ぐことができる。したがって、同じ構成の記録領域を使用することができ、円滑に記録動作を行うことが可能となる。
また、本発明によれば、第二の記録媒体に料金支払済情報、書き込み可能なデータ容量又は書き込み可能なファイル数が記録されている場合にのみ、読み込まれた画像データ及び／又は音データを第二の記録媒体に記録するので、料金支払済情報、書き込み可能なデータ容量又は書き込み可能なファイル数が記録されている第二の記録媒体以外の記録媒体に、読み込まれた画像データ及び／又は音データを記録することを防ぐことができる。
【図１】
2005006334.tif 000003
【図２】
2005006334.tif 000004
2005006334.tif 000005
【国際調査報告】
2005006334.tif 000006
2005006334.tif 000007
2005006334.tif 000008
2005006334.tif 000009